(57)【要約】【課題】  締付具の締め付け又は取り外し作業の手間を軽減することができ、安全性の向上を図る。【解決手段】  本発明は、一端部にラチェット機構１８を備え、締付具に嵌着可能なソケット部１２を備えると共に、他端部に結束部１３を備えた締付工具１１であって、ソケット部１２と結束部１３との間には前記締付具に嵌着可能なレンチ部１４がさらに設けられており、レンチ部１４の厚みはソケット部１２の厚みより薄く形成されていることを特徴とする。【選択図】  図１
2006231453.tif 000002
【特許請求の範囲】
【請求項１】
一端部にラチェット機構を備え、締付具に嵌着可能なソケット部を備えると共に、他端部に結束部を備えた締付工具であって、
前記ソケット部と前記結束部との間には前記締付具に嵌着可能なレンチ部がさらに設けられており、該レンチ部の厚みは前記ソケット部の厚みより薄く形成されていることを特徴とする締付工具。
【請求項２】
前記レンチ部には、締付具が嵌着可能な口径の異なる複数の嵌着孔が設けられている請求項１に記載の締付工具。
【請求項３】
前記嵌着孔のうちの少なくとも１つの嵌着孔はラチェット機構を備えている請求項２に記載の締付工具。
【請求項４】
前記レンチ部には、締付具が係合可能な顎部を有する嵌着部が形成されている請求項１に記載の締付工具。
【発明の詳細な説明】
【技術分野】
【０００１】
本発明は、ボルトやナット等の締付具を締め付けたり、取り外したりするための締付工具に関し、特に、一端部にラチェット機構を備えたソケット部を備えると共に、他端部に結束部を備えた締付工具に関する。
【背景技術】
【０００２】
従来、仮設足場の組立て、解体作業等において、ボルトやナット等の締付具を締め付けたり、取り外したりする時に、締付工具が使用されている。
【０００３】
図３に示すように、この種の従来の締付工具１は、一端部に設けられたソケット部２と、他端部に設けられた先細形状の結束部３と、ソケット部２と結束部３の間に設けられた把持部４とから構成されており、結束部３は針金等を結束、緊結するために使用される。また、ソケット部２には、異なる口径の嵌着孔を有する円筒状の第１嵌着部５及び第２嵌着部６が両側に突出するように設けられており、第１嵌着部５及び第２嵌着部６はラチェット機構７により一体に回転自在に支持されている。
【０００４】
そして、このような構成を備えた締付工具１の第１嵌着部５を使用して締付具を締め付ける場合、締付具の締付程度が緩い初期の段階では、締付具が空回りするのを防止するため、把持部４を一方の手で把持すると共に第２嵌着部６の外周を他方の手で押えながら、第１嵌着部５を締付具に嵌着し、締付工具１を回転させる。そして、締付具の締付程度が所要の強さになった後は、第２嵌着部６の外周を他方の手で押えることなく、締付工具１を回転させ、締付具を締め付ける。
【０００５】
一方、締付工具１の第１嵌着部５を使用して締付具を取り外す場合には、上記した場合と反対に、初期の段階では、把持部４を一方の手で把持し、第２嵌着部６の外周を他方の手で押えることなく、第１嵌着部５を締付具に嵌着し、締付工具１を回転させ、締付具を緩める。そして、締付具の締付程度が緩くなった後期の段階には、把持部４を一方の手で把持すると共に第２嵌着部６の外周を他方の手で押えながら、締付工具１を回転させる（例えば、特許文献１参照）。
【特許文献１】特開平８−１４１９２１号公報
【発明の開示】
【発明が解決しようとする課題】
【０００６】
しかしながら、上記した従来の締付工具１では、ソケット部２の第１嵌着部５及び第２嵌着部６が両側に突出して設けられているため、障害物等により締付具の周囲に十分な作業空間を確保することができない状況では、締付具の締め付け又は取り外し作業を行うことができない。そのため、締付具の締め付け又は取り外し作業時には、常に、スパナ等の別の締付工具を一緒に携帯し、締付具の周囲の状況に合わせて、２種類の締付工具を使い分けていた。したがって、締付具の締め付け又は取り外し作業に非常に手間が掛かり、また、高所作業時には、締付工具を交換する際に、誤って、締付工具を落下させるおそれもあり、安全上も好ましくないといった問題があった。
【０００７】
本発明は、上記した課題を解決すべくなされたものであり、締付具の締め付け又は取り外し作業の手間を軽減することができ、安全性の向上を図ることができる締付工具を提供しようとするものである。
【課題を解決するための手段】
【０００８】
本発明は、一端部にラチェット機構を備え、締付具に嵌着可能なソケット部を備えると共に、他端部に結束部を備えた締付工具であって、前記ソケット部と前記結束部との間には前記締付具に嵌着可能なレンチ部がさらに設けられており、該レンチ部の厚みは前記ソケット部の厚みより薄く形成されていることを特徴とする。
【０００９】
そして、好ましくは、前記レンチ部には、締付具が嵌着可能な口径の異なる複数の嵌着孔が設けられているのがよい。
【００１０】
また、前記嵌着孔のうちの少なくとも１つの嵌着孔はラチェット機構を備えていてもよい。
【００１１】
さらに、前記レンチ部には、締付具が係合可能な顎部を有する嵌着部が形成されていてもよい。
【発明の効果】
【００１２】
本発明によれば、ソケット部と結束部の間に締付具に嵌着可能なレンチ部がさらに設けられ、そのレンチ部の厚みがソケット部の厚みより薄く形成されているため、締付具の締め付け又は取り外し作業を行う場合、通常の状況では、ソケット部を使用し、障害物等により締付具の周囲に十分な作業空間を確保することができない状況では、レンチ部を使用することができる。すなわち、１つの締付工具で、両方の状況に対応することが可能となるため、締付具の締め付け又は取り外し作業時に、スパナ等の別の締付工具を一緒に携帯する必要がない。したがって、締付具の締め付け又は取り外し作業の手間を軽減させることができ、また、高所作業時に締付工具を交換する時に、誤って、締付工具を落下させるおそれもなくなり、安全性の向上を図ることができる等、種々の優れた効果を得ることができる。
【発明を実施するための最良の形態】
【００１３】
以下、図１を参照しつつ、本発明の実施の形態に係る締付工具について説明する。ここで、図１は本実施の形態に係る締付工具を示す斜視図である。
【００１４】
この締付工具１１は、鉄又はステンレス鋼等の鋼製であり、一端部に設けられたソケット部１２と、他端部に設けられ、針金等を結束、緊結するために使用される先細状の結束部１３と、ソケット部１２と結束部１３の間に設けられたレンチ部１４とから構成されており、レンチ部１４は把持部としても使用されるようになっている。
【００１５】
ソケット部１２には、それぞれ円筒状の第１嵌着部１５及び第２嵌着部１６が両側に突出するように設けられ、第１嵌着部１５の嵌着孔１７の口径は第２嵌着部１６の嵌着孔（図示せず）の口径より小さくなっており、第１嵌着部１５及び第２嵌着部１６はそれぞれラチェット機構１８により一体に回転自在に支持されている。
【００１６】
ラチェット機構１８は、第１嵌着部１５及び第２嵌着部１６の外周に設けられた歯車（図示せず）と、該歯車に噛合する爪部（図示せず）と、該爪部の噛合方向を変化させる切替レバー１９とから構成されており、第１嵌着部１５及び第２嵌着部１６は、切替レバー１９が図１のようにＡ方向側にある時は、図１中のＣ方向への回転のみが許容され、切替レバー１９がＡ方向の反対のＢ方向側にある時は、図１中のＤ方向への回転のみが許容されるようになっている。
【００１７】
レンチ部１４は、厚みがソケット部１２より薄く形成され、第３嵌着部２０と第４嵌着部２１の２つの嵌着部を備えている。第３嵌着部２０は、第１嵌着部１５の嵌着孔１７と同一口径を有する第３嵌着孔２２を備えており、ラチェット機構により一方向側の回転のみが許容されている。一方、第４嵌着部２１は、第２嵌着部１６の嵌着孔と同一口径を有する第４嵌着孔２３を備えており、回転しないように固定されている。また、レンチ部１４の両側面２５は、第３嵌着部２０と第４嵌着部２１の外形に合わせて、波状に湾曲して形成されており、レンチ部１４を把持部として使用した場合に、作業員の手にフィットするようになっている。
【００１８】
さらに、ソケット部１２とレンチ部１４の間には、通孔２４が形成されており、通孔２４に紐（図示せず）を通し、その紐を作業員の腰に巻き付けた安全帯等に結ぶ付けることにより、締付工具１１の落下を防止できるようになっている。
【００１９】
次に、本実施の形態に係る締付工具１１により締付具を締め付け及び取り外す手順について説明する。
【００２０】
締付具の周囲に障害物等がなく、十分な作業空間を確保できる場所において、第１嵌着部１５により締付具を締め付ける場合、先ず、締付具の締付程度が緩い初期の段階には、締付具が空回りするのを防止するため、レンチ部１４（把持部）を一方の手で把持すると共に第２嵌着部１６の外周を他方の手で押えながら、第１嵌着部１５を締付具に嵌着し、締付工具１１を回転させる。そして、締付具の締付程度が所要の強さになった後は、第２嵌着部１６の外周を他方の手で押えることなく、締付工具１１を回転させ、締付具を締め付ける。
【００２１】
一方、締付工具１１の第１嵌着部１５を使用して締付具を取り外す場合には、上記した場合と反対の手順で、取り外し作業を行う。
【００２２】
また、障害物等により締付具の周囲に十分な作業空間を確保できない場所において、締付具を締め付ける場合には、締付具の口径に合わせて、第３嵌着部２０又は第４嵌着部２１を使用する。
【００２３】
そして、第３嵌着部２０を使用する場合には、締付具の締付程度が緩い初期の段階には、締付具が空回りするのを防止するため、ソケット部１２を一方の手で把持すると共に前記締付具を直接、他方の手で押えながら、第３嵌着部２０を締付具に嵌着し、締付工具１１を回転させる。そして、締付具の締付程度が所要の強さになった後は、締付具を他方の手で押えることなく、締付工具１１を回転させ、締付具を締め付ける。
【００２４】
また、第４嵌着部２１を使用する場合には、締付具が空回りするおそれがないため、ソケット部１２を一方の手で把持し、第４嵌着部２１を締付具に嵌着し、締付工具１１を回転させ、締付具を締め付ける。
【００２５】
一方、障害物等により締付具の周囲に十分な作業空間を確保できない場所において、締付具を取り外す場合にも、締付具の口径に合わせて、第３嵌着部２０又は第４嵌着部２１を使用し、上記した締め付ける場合と反対の手順で、取り外し作業を行う。
【００２６】
なお、上記した実施の形態においては、レンチ部１４に口径の異なる２つの嵌着部２０，２１が設けられているが、これは単なる例示に過ぎず、嵌着部は１つ、或いは、３つ以上設けられていてもよい。また、レンチ部１４の嵌着部には、ラチェット機構が設けられていても、或いは、設けられていなくてもよい。
【００２７】
また、レンチ部１４の嵌着部は、必ずしも、上記した実施の形態のように嵌着孔２２，２３を備えていなくてもよく、例えば、図３に示すように、側部が開口され、締付具が嵌着可能な顎部２６が形成された嵌着部２７を備えていてもよい。
【図面の簡単な説明】
【００２８】
【図１】本発明の実施の形態に係る締付工具を示す斜視図である。
【図２】本発明の実施の形態に係る締付工具の別の例を示す斜視図である。
【図３】従来例を示す斜視図である。
【符号の説明】
【００２９】
１１          締付工具
１２          ソケット部
１３          結束部
１４          レンチ部
１８          ラチェット機構
２２          第３嵌着孔
２３          第４嵌着孔
２７          嵌着部
【図１】
2006231453.tif 000003
【図２】
2006231453.tif 000004
【図３】
2006231453.tif 000005